Podtech/llm-jp-corpus-v4-ja_patent huggingface dataset:
(57)【要約】      （修正有）【課題】形状が酷似している複数のビニール傘のなかから、所有者本人の傘を容易に識別可能なビニール傘を提供する。【解決手段】ビニール傘の柄の部分に、同メーカー、同形状のビニール傘であっても、異なるシール又は刻印を取り付ける。使用するシール又は刻印は、多様な種類を設け、カラーのついたマーク、文字、数字、図形、動植物の図柄などが用いられる。【選択図】図１
0003153290.tif 000002
【実用新案登録請求の範囲】
【請求項１】
所有者の特定を目的とした傘ごとに異なる別々のシールを傘の柄の部分に貼り付けたビニール傘。
このビニール傘は、同メーカーで同一の形状をしていても異なったシールを貼ったものであり、シールには、傘置き場で重複しない程度に多様な種類を持たせ、カラーのついたマーク、文字、数字、図形、動植物の図柄などを用いる。
【請求項２】
所有者の特定を目的とした傘ごとに異なる別々の刻印を傘の柄の部分につけたビニール傘。
このビニール傘は、同メーカーで同一の形状をしていても異なった刻印をつけたものであり、刻印には、傘置き場で重複しない程度に多様な種類を持たせ、カラーのついたマーク、文字、数字、図形、動植物の図柄などを用いる。
【請求項３】
カラーのついたマーク、文字、数字、図形、動植物の図柄などの未使用のシールが添付されたビニール傘。
【考案の詳細な説明】
【技術分野】
【０００１】本考案はビニール傘に関するものである。
【背景技術】
【０００２】ビニール傘は、形状が酷似している為、複数あると自分のものであるかどうか、認識が難しい。
【先行技術文献】
【特許文献】
【０００３】
【特許文献１】なし
【特許文献２】なし
【非特許文献】
【０００４】
【非特許文献１】なし
【非特許文献２】なし
【考案の概要】
【考案が解決しようとする課題】
【５】  これまでのビニール傘は、どれも形状が酷似している為、複数あると自分の物であるかどうかという認識が困難であった。  また、いちいち名前を入れるのも、手間である。
【課題を解決するための手段】
【６】  ビニールの傘の柄の部分に予め、所有者本人のものと確認する為のシールまたは、刻印をつける。  シールまたは、刻印には、カラーのついたマーク、文字、数字、図形、動植物の図柄など、傘置き場で、重複しない程度に多様な種類を設けておく。  そのうちの一つあるいはそれらの組み合わせをビニール傘の柄につけることで、所有者の認識を行うビニール傘である。
また、ビニール傘とそれらのシールをセットにする。
【考案の効果】
【７】  ビニール傘に所有者本人のものと確認する為のシールまたは、刻印を付けることで、名前を書き入れる手間が掛からず、複数ある傘の中から、自分の物を即座に見つけ出すことができる。  紛失や盗難防止の効果が期待できる。
【図面の簡単な説明】
【８】
【図１】  傘の柄に所有者本人のものと確認する為のシールをつけた正面図。
【図２】  傘の柄に所有者本人のものと確認する為の刻印をつけた正面図。
【図３】  ビニール傘とシールをセットにした正面図。  ＊各図ビニール傘のビニール部分は図から省略されております。
【考案を実施するための形態】
【９】  ・ビニール傘の柄に所有者本人の物と確認する為のシール１をつけた形態。
・ビニール傘の柄に所有者本人の物と確認する為の刻印２をつけた形態。
・ビニール傘とシール３をセットにした形態。
シールまたは刻印には、カラーのついたマーク、文字、数字、図形、動植物の図柄など、傘置き場で、重複しない程度に多様な種類を設けておく。  そのうちの一つあるいはそれらの組み合わせを傘の柄につけることで、所有者の認識を行うビニール傘である。
ビニール傘とシールのセットについては、使用者が、シールを傘の柄に取り付ける。
【実施例】
【１０】  図１の様に、所有者本人の物と確認する為のシール１が傘の柄についている状態のビニール傘の仕様。
図２の様に、所有者本人の物と確認する為の刻印２が傘の柄についている状態のビニール傘の仕様。
図３の様に、ビニール傘とシール３をセットにした仕様であり、これについては、使用者が、好みのシールを傘の柄に取り付ける。
本考案は、図１、図２、図３で表わされるビニール傘の仕様であり、これらのシールまたは刻印には、カラーのついたマーク、文字、数字、図形、動植物の図柄など、傘置き場で、重複しない程度に多様な種類を設ける。
そのうちの一つあるいはそれらの組み合わせを傘の柄につけることで、所有者の認識を行うことの出来るビニール傘である。
所有者は、複数並ぶ傘の中から、シールや刻印の模様、がらで本人のものと直ちに認識が出来る。
＊各図ビニール傘のビニール部分は図から省略されております。
【産業上の利用可能性】
【１１】  これまでのビニール傘は、どれも形状が酷似している為、複数あると自分の物であるかどうかという認識が困難であった。  また、いちいち名前を入れるのも、手間であった。
所有者識別の為のシールや刻印をすることで、数多くある傘の中から所有者本人の傘を即座に見つける事が出来るようになる。  また、紛失や盗難といったトラブル防止の効果も期待できる。
装飾シールとしても、楽しむことが出来る。  これらの効果が、低コストで実現出来る。
【符号の説明】
【１２】１  所有者本人の物と確認する為のシール。
２  所有者本人の物と確認する為の刻印
３  ビニール傘とセットにする数種類のシール。
【図１】
0003153290.tif 000003
【図２】
0003153290.tif 000004
【図３】
0003153290.tif 000005
【手続補正書】
【提出日】平成21年6月4日(2009.6.4)
【手続補正１】
【補正対象書類名】実用新案登録請求の範囲
【補正対象項目名】請求項１
【補正方法】変更
【補正の内容】
【請求項１】
ビニール傘において、ビニール傘の柄の部分に、同メーカー、同形状のビニール傘であっても、異なるシールを貼り付けたビニール傘であり、使用するシールは、多様な種類を設け、カラーのついたマーク、文字、数字、図形、動植物の図柄などを用いられるという構造を持つビニール傘。
【手続補正２】
【補正対象書類名】実用新案登録請求の範囲
【補正対象項目名】請求項２
【補正方法】変更
【補正の内容】
【請求項２】
ビニール傘において、ビニール傘の柄の部分に、同メーカー、同形状のビニール傘であっても、異なる刻印を取り付けたビニール傘であり、使用する刻印は、多様な種類を設け、カラーのついたマーク、文字、数字、図形、動植物の図柄などを用いられるという構造を持つビニール傘。
(57)【要約】      （修正有）【課題】業務用鳥類対策忌避剤を簡易に設置できる鳥害対策忌避具を提供する。【解決手段】耐油性に優れた受皿２に鳥害対策忌避剤１を入れ、シールした鳥類忌避具を住宅のベランダの手すりやエアコン室外機の上や鳥類が留まりやすい箇所に受皿２の底面に設けた粘着テープ４で固定する。【選択図】図１
0003153281.tif 000002
【実用新案登録請求の範囲】
【請求項１】
鳥類へのペースト状の忌避剤と、このペースト状忌避剤を収納する耐薬品性もしくは耐油性しかも非吸水性の受皿と、この受皿の表面に貼着させると共に剥離して前記忌避剤が露呈するシールとからなることを特徴とする鳥類忌避具。
【請求項２】
前記受皿及びシールをＰＥＴ樹脂製とし熱溶着して忌避剤を封入したことを特徴とする請求項１記載の鳥類忌避具。
【請求項３】
前記受皿底面に粘着テープを備えたことを特徴とする請求項１又は２記載の鳥類忌避具。
【請求項４】
前記シールに剥離用ツマミを備えたことを特徴とする請求項１、２又は３記載の鳥類忌避具。
【請求項５】
前記受皿の形状は丸型あるいは多角形からなることを特徴とする請求項１ないし４記載の鳥類忌避具。
【考案の詳細な説明】
【技術分野】
【０００１】本考案は、業務用鳥害対策忌避剤を専用の受皿に入れることで、一般のユーザーが簡単に設置でき、集合住宅や戸建のベランダなどに飛来した鳩などの糞が付着する被害を防止できるようにした、鳥類忌避具に関する。
【背景技術】
【０００２】従来鳥害対策器具として、ネットや剣山型の突起物などが用いられている。この鳥害対策器具は侵入を阻止するもので、物理的に入れない、留まれないといったような効果がある。
【考案の開示】
【考案が解決しようとする課題】
【０００３】しかし上記従来の鳥害対策器具は、ネットの場合緩んだ隙間から侵入したり、剣山型の突起物であれば突起の上で営巣したりあまり効果が無いのが現状である。そのため、侵入してきた鳥類の糞に汚染される被害も頻発していた。
【課題を解決するための手段】
【０００４】鳥類へのペースト状の忌避剤とこのペースト状忌避剤を収納する、耐薬品性もしくは耐油性しかも非吸水性の受皿とこの受皿の表面に貼着させると共に、剥離して前記忌避剤が露呈するシールでなしたことを特徴とした鳥類忌避具。【０００５】物理的に鳥類の侵入を阻止するのではなく、視覚、嗅覚、触覚、味覚に作用し学習させる業務用忌避剤を専用の受皿に入れ集合住宅、戸建のベランダなどで簡単に設置できるようにした鳥類忌避具を提供するものである。
【考案の効果】
【０００６】集合住宅、戸建のべランダにやってくる鳥類は、一度手すりに留まって安全確認の後、侵入することが多く、そこに忌避剤を仕掛けることでより効果的な対策が取れる。他に、鳥類が留まると思われる箇所に設置する場合も効果的であると言える。
【考案実施の形態】
【０００７】本考案の鳥類忌避具は図１で示すように忌避剤と忌避剤を入れる受皿と受皿上部のシールと受皿底面の粘着テープとからなる。忌避剤は天然植物抽出物と鉱油、保湿増粘剤で出来ている。
【０００８】受皿は忌避剤の油分が染み込まず強度のあるＰＥＴで出来ている。中央の深さが５ミリあるが、忌避剤が適量入るようになっており、直径６０ミリはベランダの手すりに適した大きさになっている。
【０００９】図２示すように底面の粘着テープは、ベランダの手すりなどに固定するためにある。
【００１０】次に本考案の鳥類忌避具の使用方法について説明する。まず鳥類が留まりやすいベランダの手すりやエアコンの室外機などの上を粘着テープが十分密着するよう清掃する。底面にある粘着テープの保護シートを剥がし貼り付ける。次に受皿上部のシールを剥がし、設置が完了する。
【００１１】このように設置した鳥類忌避具は、視覚的に変化を生み天然植物抽出物の匂いで鳥類を警戒させる。それでも留まる場合は鳥類が嫌う粘性の高い忌避剤が足や羽に付く。嘴で毛繕いする際、羽に付いた忌避剤が口に入る。これら４つの感覚を刺激し、繰り返し何度も体感させることで学習し、鳥類が寄り付かなくなる。
【図面の簡単な説明】
【００１２】
【図１】本考案に係る鳥類忌避具の斜視図である。
【図２】本考案に係る鳥類忌避具のシールを剥離しているところの断面図である。
【図３】本考案に係る鳥類忌避具の底面図である。
【図４】本考案に係る鳥類忌避具・多角形受皿の斜視図である。
【符号の説明】
【００１３】１・・・忌避剤
２・・・受皿
３・・・シール
４・・・粘着テープ
５・・・ツマミ
【図１】
0003153281.tif 000003
【図２】
0003153281.tif 000004
【図３】
0003153281.tif 000005
【図４】
0003153281.tif 000006
【手続補正書】
【提出日】平成21年6月8日(2009.6.8)
【手続補正１】
【補正対象書類名】実用新案登録請求の範囲
【補正対象項目名】請求項５
【補正方法】変更
【補正の内容】
【請求項５】
前記受皿の形状は丸型あるいは多角形からなることを特徴とする請求項１ないし４のいずれか一項に記載の鳥類忌避具。
(57)【要約】      （修正有）【課題】ふき取ったばかりの湿った床面を風で素早く乾かすことができる床洗浄機を提供する。【解決手段】搭乗式床洗浄機に付いているアーチ型スクイジー１の中央に、扇風機２を後方に傾けて設置し、扇風機の風が床面に当たるようにする。扇風機のパワースイッチおよび風量調節スイッチ（強中弱）は、扇風機本体以外の操作しやすい場所に設置してもよい。【選択図】図１
0003153285.tif 000002
【実用新案登録請求の範囲】
【請求項１】
扇風機を設置した床洗浄機。
【請求項２】
搭乗式床洗浄機に付いているアーチ型スクイジーの上に、後方に傾けて固定された扇風機を装備した、請求項１記載の床洗浄機。
【請求項３】
手押し式床洗浄機の２本の梶の前に金属棒を横渡しにして固定し、その上に天井設置型扇風機を装備した、請求項１記載の床洗浄機。
【考案の詳細な説明】
【技術分野】
【０００１】  本考案は、床洗浄機に関するものである。
【背景技術】
【０００２】  現在、床洗浄機（搭乗式床洗浄機、および手押し式床洗浄機）に、風で床を乾かす装置は付属していない。
【考案の開示】
【考案が解決しようとする課題】
【０００３】  現在、床洗浄機に風で床を乾かす装置が付属されていないことにより、ふき取ったばかりの床面がいつまでもべたべたしたままで、人が歩くとどうしても泥の付いた足跡が残ってしまう。そのため、特に人の多い場所では、ふき取ったばかりの床面がすぐに汚れてしまう。また、ふき取ったばかりの床面が湿っているために、人が歩くと滑りやすく、危険を感じる。
【課題を解決するための手段】
【０００４】  本考案は、ふき取ったばかりの湿った床面を風で素早く乾かすことができる。
【考案の効果】
【０００５】  本考案の扇風機を装備した床洗浄機は、ふき取ったばかりの湿った床面を風で素早く乾かすことができる。
【考案を実施するための最良の形態】
【０００６】  実施例１では、搭乗式床洗浄機に付いているアーチ型スクイジーの中央に、扇風機を後方に傾けて設置し、扇風機の風が床面に当たるようにする。扇風機のパワースイッチおよび風量調節スイッチ（強中弱）は、扇風機本体以外の操作しやすい場所に設置してもよい。【０００７】  実施例２では、手押し式床洗浄機に２本の長い梶を設置したあと、その２本の梶の前に１本の金属棒を横渡しにして固定し、さらに天井設置型扇風機を金属棒に固定して、天井設置型扇風機の風が床面に当たるようにする。【０００８】  安全を配慮して、上記の手押し式床洗浄機に設置された天井設置型扇風機の羽根は、防護網で覆われている。これによって、回っている羽根が、床洗浄機を押している人の足に当たるのを防ぐことができる。
【実施例１】
【０００９】  図１に沿って説明する。１は搭乗式床洗浄機に付いているアーチ型スクイジーである。２は扇風機である。扇風機２は、搭乗式床洗浄機に付いているアーチ型スクイジー１の上に、後方に傾けて固定される。
【実施例２】
【００１０】  図２に沿って説明する。３は天井設置型扇風機である。４は羽根である。５は手押し式床洗浄機の梶で、比較的長い。６は金属棒である。金属棒６は、手押し式床洗浄機の２本の梶５の前に、横渡しにして固定される。天井設置型扇風機を金属棒６に固定する。
【図面の簡単な説明】
【００１１】
【図１】本考案の実施例１における、扇風機を設置した搭乗式床洗浄機の簡略図。
【図２】本考案の実施例２における、天井設置型扇風機を設置した手押し式床洗浄機の簡略図。
【符号の説明】
【００１２】    １  搭乗式床洗浄機に付いているアーチ型スクイジー
２  扇風機
３  天井設置型扇風機
４  羽根
５  梶
６  金属棒
【図１】
0003153285.tif 000003
【図２】
0003153285.tif 000004
【手続補正書】
【提出日】平成21年6月8日(2009.6.8)
【手続補正１】
【補正対象書類名】実用新案登録請求の範囲
【補正対象項目名】全文
【補正方法】変更
【補正の内容】
【実用新案登録請求の範囲】
【請求項１】
床洗浄機の洗浄装置の後に、扇風機を装備して、扇風機の風が床面に当たるようにした、床洗浄機。
【請求項２】
搭乗式床洗浄機に付いているアーチ型スクイジーの上に、後方に傾けて固定された扇風機を装備した、請求項１記載の床洗浄機。
【請求項３】
手押し式床洗浄機の２本の梶の前に金属棒を横渡しにして固定し、その上に天井設置型扇風機を装備した、請求項１記載の床洗浄機。
(57)【要約】      （修正有）【課題】構造が簡単で、使用の利便性が高く、使用寿命が長い回転式プラグを提供する。【解決手段】回転式プラグはプラグ本体１、プラグ本体１前端に固定する１組の導電端子２、回転球体３を備え、プラグ本体１内部の末端には、前端及び後端が、プラグ本体１内部及び外部とそれぞれ連通する収容設置槽を開設し、回転球体３はプラグ本体１の収容設置槽内に設置し、収容設置槽内で回転動が可能である。【選択図】図１
0003153232.tif 000002
【実用新案登録請求の範囲】
【請求項１】
プラグ本体、１組の導電端子、回転球体を備え、
前記プラグ本体内部の末端には、前端及び後端が、前記プラグ本体内部及び外部とそれぞれ連通する収容設置槽を開設し、
前記１組の導電端子は、前記プラグ本体前端に固定し、
前記回転球体内部には、貫通孔を開設し、前記回転球体は、前記プラグ本体の収容設置槽内に設置し、前記収容設置槽内で回転動が可能であることを特徴とする回転式プラグ。
【請求項２】
請求項１記載の回転式プラグにおいて、前記回転式プラグ内の収容設置槽前部には、固定フレームを設置し、前記固定フレーム上には、挟持孔を設置することを特徴とする回転式プラグ。
【請求項３】
請求項１記載の回転式プラグにおいて、前記回転球体の一端には、導線設置部を突出状に設置し、前記貫通孔は、前記導線設置部を貫通し、前記回転球体の導線設置部は、外へと延伸して、前記プラグ本体の収容設置槽から露出し、
前記回転球体の反対端は、前記プラグ本体の前端に向かうことを特徴とする回転式プラグ。
【請求項４】
請求項１記載の回転式プラグにおいて、前記回転式プラグ内部の前端位置にはさらに、前記導電端子を固定する固定体を設置することを特徴とする回転式プラグ。
【請求項５】
請求項１記載の回転式プラグにおいて、前記プラグ本体は、上蓋と下蓋により構成することを特徴とする回転式プラグ。
【考案の詳細な説明】
【技術分野】
【０００１】
本考案はプラグに関し、特に回転式プラグに関する。
【背景技術】
【０００２】
日常生活や仕事において、電子設備が登場する機会はますます増えている。電子設備と電源との連接には、多くがプラグをマルチコンセント或いは多穴コンセントに挿入接続して使用している。
しかし、電子設備とプラグとの間を導線により連接し、プラグをマルチコンセント或いは多穴コンセントに挿入する時には、プラグはコンセントに適応させなければならないため、導線がねじれる状況がしばしば発生し、導線の配置が混乱してしまう。同時に、導線はねじれることで断裂が起き易くなり、また通電しないという状況が発生し、さらにはショートして発火する恐れさえある。本考案は、従来のコンセントとプラグの対応における上記した欠点に鑑みてなされたものである。
【考案の概要】
【考案が解決しようとする課題】
【０００３】
本考案は、構造が簡単で、使用の利便性が高く、使用寿命が長い回転式プラグを提供することである。
【課題を解決するための手段】
【０００４】
上記課題を解決するため、本考案は下記の回転式プラグを提供する。
回転式プラグは、プラグ本体、該プラグ本体前端に固定する１組の導電端子、回転球体を備え、
該プラグ本体内部の末端には、前端及び後端が、該プラグ本体内部及び外部とそれぞれ連通する収容設置槽を開設し、
該回転球体内部には、貫通孔を開設し、該回転球体は、該プラグ本体の収容設置槽内に設置し、該収容設置槽内で回転動が可能である。
【考案の効果】
【０００５】
本考案回転式プラグは、収容設置槽と回転球体との対応により、回転球体はプラグ本体末端において回転動が可能で、使用の利便性が向上し、使用寿命を延長することができる。
【図面の簡単な説明】
【０００６】
【図１】本考案回転式プラグの立体図である。
【図２】図１に示す回転式プラグの立体分解図である。
【図３】図１に示す回転式プラグの上蓋の立体図である。
【考案を実施するための形態】
【０００７】
図１、２に示すように、本考案回転式プラグは、プラグ本体１、１組の導電端子２、回転球体３、導線４、固定体５を備える。導線４内には、各導電端子２と対応して電気的に連接する複数の導線(図示なし)を設置する。本実施例では、回転式プラグの導電端子２を固定する一端を前端と定義し、回転式プラグの導線４を連接する一端を後端と定義する。
【０００８】
図２、３に示すように、プラグ本体１は、相互に嵌合して一体を形成する上蓋１１と下蓋１２を備える。上蓋１１と下蓋１２内部の後端位置には、上収容設置槽１１１と下収容設置槽１２１をそれぞれ開設する。上収容設置槽１１１と下収容設置槽１２１の前端及び後端は、プラグ本体１の内部及び外部と、それぞれ連通する。上蓋１１と下蓋１２は、上収容設置槽１１１と下収容設置槽１２１の前部において、上固定フレーム１１２と下固定フレーム１２２をそれぞれ設置する。上固定フレーム１１２と下固定フレーム１２２の中央部には、導線４を挟持する半円形の上挟持孔１１３と下挟持孔１２３をそれぞれ開設する。
【０００９】
回転球体３一端には、柱状の導線設置部３１を突出状に設置する。回転球体３内部には、回転球体３を貫通して、導線設置部３１を貫通する貫通孔３２を開設する。
【００１０】
組立て時には、導線４を回転球体３の貫通孔３２に通し、導線４内の各導線を、各導電端子２上に接続する。次に、各導電端子２を固定体５上に固定する。続いて、固定体５と回転球体３を、下蓋１２の前端と後端の下収容設置槽１２１内に係合する。さらに、上蓋１１を下蓋１２上に被せ、超音波を用いて溶接する。
上蓋１１と下蓋１２の溶接後、上収容設置槽１１１と下収容設置槽１２１は対応して接続し、収容設置槽を形成する。上固定フレーム１１２と下固定フレーム１２２は、一緒に固定フレームを形成する。上挟持孔１１３と下挟持孔１２３は、対応して接続し、導線４を挟持可能な挟持孔を形成する。回転球体３は、プラグ本体１の収容設置槽内に設置し、収容設置槽内において回転動が可能である。回転球体３の貫通孔３２の一端は、プラグ本体１の前端に向かい、回転球体３の導線設置部３１は、外へと延伸して、プラグ本体１の収容設置槽を出る。
【００１１】
上記したように、本考案回転式プラグにおいては、プラグ本体１の後端に開設する収容設置槽と、導線４を通して設置する回転球体３との対応により、回転球体３は、プラグ本体１末端において回転動することができる。こうして、導線４の湾曲、屈折による断裂を回避可能で、使用の利便性が向上し、回転式プラグの使用寿命を延長することができる。
【符号の説明】
【００１２】
１  プラグ本体
１１  上蓋
１１１  上収容設置槽
１１２  上固定フレーム
１１３  上挟持孔
１２  下蓋
１２１  下収容設置槽
１２２  下固定フレーム
１２３  下挟持孔
２  導電端子
３  回転球体
３１  導線設置部
３２  貫通孔
４  導線
５  固定体
【図１】
0003153232.tif 000003
【図２】
0003153232.tif 000004
【図３】
0003153232.tif 000005
(57)【要約】      （修正有）【課題】現在使用している、点灯装置を交換することなく、省電力型に交換出来る省電力型蛍光灯点灯装置を提供する。【解決手段】従来の蛍光管と同じ寸法の上部に、省電力型蛍光管に取り付け、省電力型の蛍光灯点灯装置を一体化することで、現在使用している従来の蛍光管を取り外し、省電力型の蛍光灯点灯装置と交換できる様、以下の構成とする。１は省電力型蛍光灯、１ａは省電力型蛍光灯の入力ピンである。２は省電力型蛍光灯と従来の蛍光灯の器具に取り付けられる、合成樹脂で絶縁が良く、強度のある適宣素材の成形品である省電力型蛍光灯支持具、２aは従来の蛍光灯への接続ピン、３は従来の蛍光灯の器具に取り付けられるように、同じ長さにする為の中空状のアルミニュウム管、４は省電力型蛍光灯用電子式点灯装置である。省電力蛍光灯の入力ピン１ａに対し、該点灯装置４及び接続ピン２は、出力バネにより電気的に接続される。【選択図】図１
0003153295.tif 000002
【実用新案登録請求の範囲】
【請求項１】
本考案は省電力型蛍光灯は、従来の蛍光灯より、長さが少し短く、直径の細いために、従来の蛍光管と同じ寸法の上部に、省電力型蛍光管に取り付け、省電力型の蛍光灯点灯装置を一体化することで、従来の蛍光灯点灯装置に取り付けられるようにした、省電力型蛍光灯点灯装置。
【考案の詳細な説明】
【技術分野】
【０００１】
省電力型蛍光灯点灯装置
【背景技術】
【０００２】
従来の蛍光灯点灯装置と現在の蛍光灯点灯装置とは効率が大きく異なる。
【考案の開示】
【考案が解決しようとする課題】
【０００３】
従来の蛍光灯点灯装置を取替えるには、費用と手間がかかる、これを解決しようとする課題とする。
【課題を解決するための手段】
【０００４】
本考案は従来の蛍光灯点灯装置を取替えることなく、簡単に取り替えることが出来る方法で本考案の課題を解決するための手段とする。
【考案の効果】
【０００５】
上述のように本考案は、従来の蛍光灯点灯装置より、省電力化に非常に効果があることで、本考案の効果があった。
【考案を実施するための最良の形態】
【０００６】
従来の蛍光灯点灯装置を利用し、簡単に効率の良い蛍光灯点灯装置に変更できる様にする為、現在使用している、従来の蛍光管と同じ寸法の上部に、省電力型蛍光管に取り付け、省電力型の蛍光灯点灯装置を一体化することで、現在使用している従来の蛍光管を取り外し、省電力型の蛍光灯点灯装置と交換することで、実施するための最良の形態をえた。
【実施例】
【０００７】
図面に従って、以下添付実施例を説明する、１は省電力型蛍光灯、１ａは省電力型蛍光灯の入力ピン、２は省電力型蛍光灯と従来の蛍光灯の器具に取り付けられる、合成樹脂で絶縁が良く、強度のある適宣素材の成形品である省電力型蛍光灯支持具、２aは従来の蛍光灯への接続ピン、２ｂは省電力型蛍光灯への出力バネ、３は従来の蛍光灯の器具に取り付けられるように、同じ長さにする為の中空状のアルミニュウム管、
【０００８】
４は蛍光省電力型灯用電子式点灯装置、２ｂ省電力型蛍光灯への出力バネに接続される、１a入力ピンに接続され、省電力型蛍光灯が点灯される。
【図面の簡単な説明】
【０００９】
【図１】本考案の省電力型蛍光灯支持具の一部切欠断正面図
【図２】本考案の省電力型蛍光灯支持具の一部切欠断側面図
【図３】本考案の省電力型蛍光灯支持具の平面図
【図４】本考案の省電力型蛍光灯支持具の底面図
【符号の説明】
【００１０】
１    省電力型蛍光灯点灯装置
２    省電力型蛍光灯
３    同じ長さにする為の中空状のアルミニュウム管
４    蛍光省電力型灯用電子式点灯装置
【図１】
0003153295.tif 000003
【図２】
0003153295.tif 000004
【図３】
0003153295.tif 000005
【図４】
0003153295.tif 000006
【手続補正書】
【提出日】平成21年6月17日(2009.6.17)
【手続補正１】
【補正対象書類名】実用新案登録請求の範囲
【補正対象項目名】全文
【補正方法】変更
【補正の内容】
【実用新案登録請求の範囲】
【請求項１】
蛍光灯点灯装置に、接続される接続ピンを両端部に有する省電力型の蛍光灯点灯装置が一体化された省電力型蛍光灯支持具と、両端部の入力ピンを前記省電力型の蛍光灯点灯装置に接続して前記省電力型蛍光灯支持具の上部に取り付けられた、前記省電力型蛍光灯支持具よりも長さが少し短い、直径の細い省電力型蛍光灯と、を有することを特徴とする省電力型蛍光灯点灯装置。
(57)【要約】      （修正有）【課題】簡単に貼れて、竹炭をコーティングすることで、自然治癒力を高め、消臭効果が見込めるテーピングや日常生活で使うテープを提供する。【解決手段】布などからなる基材層２の一面に、体や物にはれるように竹炭と粘着剤の混合物１を塗布する。さらに、布などからなる基材層２の上記とは反対側の面に、病院などで要望が多い消臭効果を期待し、竹炭をコーティング３することにより該テープを構成する。【選択図】図１
0003153293.tif 000002
【実用新案登録請求の範囲】
【請求項１】
竹炭をコーティングした、テーピングや日常生活で使うテープ
【考案の詳細な説明】
【考案の開示】
【考案が解決しようとする課題】
【０００１】テーピングテープは、貼り方が難しい。
簡単に貼れて、自然治癒力を高める  テーピングテープの開発が待たれた。
病院などは、消臭効果がある商品の要望が多い。
【課題を解決するための手段】
【０００２】テーピングテープなどに、竹炭をコーティングする。
【考案の効果】
【０００３】竹炭の持つパワーが、自然治癒力を高めることが期待される。
竹炭の持つ消臭効果等が、いろんな分野に期待できる。
【図面の簡単な説明】
【０００４】
【図１】テープの断面図である。符号１が、体や物に貼る側。竹炭と粘着剤を混合させて、体や物に貼れるようにする。符号２は、テープの基材層（布など）。符号３は、基材層に、竹炭をコーティングする。主に、日常生活で活用するテープ。
【図２】テープの断面図である。符号１が、体や物に貼る側。竹炭と粘着剤を混合させて、体や物に貼れるようにする。符号２は、テープの基材層（布など）。主に、テーピングを目的にしたテープ。
【符号の説明】１  竹炭と粘着剤の混合物
２  基材層（布など）
３  基材層に、竹炭をコーティング
【図１】
0003153293.tif 000003
【図２】
0003153293.tif 000004
【手続補正書】
【提出日】平成21年6月10日(2009.6.10)
【手続補正１】
【補正対象書類名】実用新案登録請求の範囲
【補正対象項目名】全文
【補正方法】変更
【補正の内容】
【実用新案登録請求の範囲】
【請求項１】
竹炭をコーティングした、テーピングテープ
(57)【要約】      （修正有）【課題】ワイン等の醸造液体容器を開封後、内部液体を複数の栓付き細口小液体容器にスム−ズに静かに分注することができる液体流出器を提供する。【解決手段】固形円盤１の縦方向に二つの貫通孔を開け、一つの孔に液体流出用チュ−ブ４、他の孔に空気流入用チュ−ブ３を差し込み密着固定し液体流出器とする。固形円盤１底部に中抜き柔軟材質円盤２を重ね、液体容器６の先端部に密着させる。【選択図】図１
0003153434.tif 000002
【実用新案登録請求の範囲】
【請求項１】
円盤の縦方向に二つの貫通孔を開け、一つの孔に液体流出用チュ−ブを他の孔に空気流入用チュ−ブを差し込み密着固定したことを特長とする液体流出器。
【考案の詳細な説明】
【技術分野】
【０００１】
本考案は、市販食卓用液体容器中の液体を、サイホンの原理を応用して複数の細口小液体容器に注入する器具に関するものである。                                        
【背景技術】
【０００２】
食卓用液体容器から内部液体を取り出す場合、一般的には容器自体を傾けて流出するが、その他空気圧をかける、容器自体をつぶして押しだす等が大方である。                
【考案の開示】
【考案が解決しようとする課題】
【０００３】
アルコ−ル溶液、特にワインに関して、保存には静置、暗い、低温が重要とされている。  ワイン等の醸造液体容器を開封して、一週間の単位で保存する為に、他の複数の栓付き  細口小液体容器に分注するに際し、静かにスム−ズに流出するのが簡要である。      
【課題を解決するための手段】
【０００４】
固形円盤の縦方向に二つの貫通孔をあけ、一つの孔に液体流出用チュ−ブを他の孔に空気流入用チュ−ブを差し込み密着固定する。開封後の市販食卓用液体容器から内部液体を取り出す場合、前記液体容器に前述構成器具の液体流出用チュ−ブの一端をさし込み、前記円盤が前記液体容器の先端を塞ぐようにする。なお前記円盤と前記液体溶器先端の間に柔軟材質の中抜き円盤をクッションとして挟むと空気漏れがなくなり、初期に前記空気流入用チュ−ブから空気を吹き込み、その圧力で前記液体流出用チュ−ブの外部他端から液体が流出し以降はサイホンの原理で流出が継続する。                                
【考案の効果】
【０００５】
本考案の液体流出器は、市販食卓用液体容器を開封後、短期保存の為に、容器を傾けないで立てたまま内部の液体を静かにスム−ズに他の複数の細口小液体容器に分注するものである。初期には空気流入用チュ−ブの先端から空気を吹き込み、液体流出用チュ−ブを通じて内部液体を押し出し、以降はサイホンの原理で自然に流出する。前記液体流出用チュ−ブの出口部に弾性体チュ−ブを接続すると、この部分を指等で押さえる、離すの操作で流出のオン−オフが自在にできる。器具の組み立てが簡単、操作が簡単、軽量、コンパクト、安価等の利点がある。
【考案を実施するための最良の形態】
【０００６】
市販食卓用液体容器の先端部外径に見合った固形円盤の縦方向に二つの貫通孔を開け、一つの孔に液体流出用チュ−ブを他の孔に空気流入用チュ−ブをさし込み密着固定する。  前記液体容器から内部液体を取り出す場合、まず所定長さの前記液体流出用チュ−ブを前記容器内にさし込み、前記円盤の底部を前記容器先端部に密着させる。その後、初期に空気流入用チュ−ブの先端から空気を吹き込み前記液体流出用チュ−ブを通じて液体を押しだし、以降はサイホンの原理で静かにスム−ズに流出が進行する。なお前記固定円盤の底部に柔軟材質の中抜き円盤をクッションとして挟み込むと空気漏れがなくなりよりスム−ズになる。前記液体流出用チュ−ブの前記容器外の先端部に弾性体チュ−ブを接続し、その一部を指等で圧迫することで流出がストップし、離すと流出が継続する。なお、前記固形円盤については、ゴム等の弾性体を全体に或いは一部（前記固定円盤の底部）に使用することも可能である。                                                          
【実施例】
【０００７】
以下、添付図面に従って実施例を説明する。１は直径約３ｃｍの木材、アルミ等の円盤、２はほぼ同径の柔軟材質円盤、３は空気流入用チュ−ブ、４は液体流出用チュ−ブ、５はシリコンチュ−ブ、６は市販食卓用液体容器である。                                  
【０００８】
本考案の一実施例は上述のような構成からなり、ポリプロピレン材質の液体流出用チュ−ブ４の一端を開封後の前記液体容器６内に挿入し円盤１、２の複合体を前記液体容器６の先端部に密着させる。前記液体容器６内の液体を他の複数の細口小液体容器に分注する時に、まずポリプロピレン材質の空気流入用チュ−ブ３から空気を吹き込むとその圧力で内部液体が前記液体流出用チュ−ブ４、シリコンチュ−ブ５を通じて流出する。以降はサイホンの原理で継続的に流出し、流出を止めるときは前記シリコンチュ−ブ５の一部を指等で圧迫する。再流出は圧迫を解除することでオ−ケ−。流出のオン−オフが簡単自在に出来る。
【図面の簡単な説明】
【０００９】
【図１】本考案の実施例を示す一部切欠き正面図である。
【図２】本考案の実施例を示す一部切欠き斜視図である。
【符号の説明】
【００１０】
１  固形円盤
２  中抜き柔軟材質円盤
３  空気流入用チュ−ブ
４  液体流出用チュ−ブ
５  シリコンチュ−ブ
６  食卓用液体容器
【図１】
0003153434.tif 000003
【図２】
0003153434.tif 000004
(57)【要約】      （修正有）【課題】舌苔を浮かせて取ることで、舌表面に与えるダメージを抑えて早く綺麗に舌苔を除去し、舌に当てやすい形状で使い易くさらに衛生的に使用できる舌苔取り具を提供する。【解決手段】持ち手部を有する軸棒２の先端部に略円弧状に成形されていることを特徴とするデンタルフロス取り付けフレーム３が設けられるとともに該取り付けフレームの両端を繋ぐようにデンタルフロス４が張られており、該デンタルフロス４によって舌苔を取り除く事が出来るように構成する。【選択図】図１
0003153426.tif 000002
【実用新案登録請求の範囲】
【請求項１】
持ち手部を有する軸棒の先端部に、デンタルフロス取り付けフレームが設けられるとともに、該デンタルフロス取り付けフレームの両端を繋ぐようにデンタルフロスが張られていることを特徴とする舌苔取り具。                                                
【請求項２】
前記デンタルフロス取り付けフレームが、略円弧状に成形されていることを特徴とする請求項１に記載の舌苔取り具。                                                    
【考案の詳細な説明】
【技術分野】
【０００１】
本考案は、デンタルフロスを使用した舌苔取り具に関するものである。
【背景技術】
【０００２】
舌苔を取る場合は、舌用のブラシや舌苔を掻き取る形状の道具が多く、或いはデンタルフロスを用いてもフロス取り付けフレーム部が、平らである。
【考案の概要】
【考案が解決しようとする課題】
【０００３】
舌ブラシ等に依って舌苔を取る場合には、舌苔を擦り落とすために、何度も舌表面を擦ることにより時間もかかり、舌表面へのダメージも考えられる。さらに繰り返し使用する事により、あまり衛生的ではない。そこで、デンタルフロスによって舌苔を浮かせてから落とす事で舌にかかる負担を少なくするものである。
【課題を解決するための手段】
【０００４】
本考案は、ポリプロピレン等の適宜素材にて、持ち手部を有する軸棒の先端部に略円弧状に成形されているデンタルフロス取り付けフレームが設けられるとともに、該デンタルフロス取り付けフレームの両端を繋ぐようにデンタルフロスが張られているもので、該デンタルフロスが舌苔を浮かせて取る事により舌にダメージがかからない。                
【０００５】
本考案は、形体が単純でありコンパクトなので、使い捨てにする事により衛生面での問題を解決している。
【考案の効果】
【０００６】
上述の様に，本考案の舌用フロスクリーナーは、舌苔を早くきれいに落とす事が出来る依って使用回数が減り、使い捨てにする事により衛生的であり、コンパクトなので携帯に便利である。
【図面の簡単な説明】
【０００７】
【図１】図１は舌用フロスクリーナーの実施方法を示した説明図である。（実施例１）
【図２】図２は舌用フロスクリーナーの実施方法を示した説明図である。（実施例２）
【考案を実施するための形態】
【０００８】
舌苔取り具のデンタルフロス部分を舌の上に軽く押し当て、数回上から下へ移動させる事で、舌苔を浮かせてとる事が出来る。
【実施例】
【０００９】
図１は本考案の舌苔取り具の実施例であり、２と３はポリプロピレン等適宜素材にて作られており２は持ち手部を有する軸棒、３は軸棒の先端部に設けられた略円弧状に成形されたデンタルフロス取り付けフレーム、４はデンタルフロス取り付けフレームの両端を繋ぐように張られたデンタルフロスで、柔らかいフロスが好ましい。
【産業上の利用可能性】
【００１０】
本考案は、デンタルフロス取り付けフレームが、略円弧状に成形されていることによりデンタルフロスを舌に当てやすく使い易い、さらに単純な形体でコンパクトなので生産コストを抑える事が出来る。                                                        
【符号の説明】
【００１１】
１ 舌用フロスクリーナー
２  持ち手
３  フレーム                                                      
４  デンタルフロス                                                          
【図１】
0003153426.tif 000003
【図２】
0003153426.tif 000004
(57)【要約】      （修正有）【課題】就寝時の震災で家屋が倒壊しシェルター内に閉じ込められた際に救助要請ができるベッドを提供する。【解決手段】耐震シェルター内などに置き、緊急ブザーシステムを設けた事を特徴とする。蓄電池を内蔵し、ＬＥＤライト及びコンセントを設け、跳ね上げ式の分割マットレスを使用し、その下部に収納スペースを設けた。【選択図】図１
0003153499.tif 000002
【実用新案登録請求の範囲】
【請求項１】
耐震シェルター内などに置き、緊急ブザーシステムを設けた事を特徴としたベッド。
【請求項２】
耐震シェルター内などに置き、蓄電池を内蔵しLEDライト・コンセント・緊急ブザーと連動させたベッド。
【請求項３】
耐震シェルター内などに置き、跳ね上げ式の分割マットレスを使用し、その下部に収納スペースを設けたベッド。
【考案の詳細な説明】
【技術分野】
【０００１】
本考案は、耐震シェルター内に置き、震災時に家屋が倒壊した際、救助者に生存者がいることを知らせ、また救助されるまでに必要な水・食料・トイレなどを収納するベッドである。
【背景技術】
【０００２】
【特許文献１】特許公開平１０−３７５０２
【０００３】
震災での犠牲者が一番多いのが就寝時で、その為ほとんどの耐震シェルターが寝室に設けられているか、又は特許文献１の様なベッド用である。
【０００４】
【特許文献２】特許公開２００８−２１０２９
【０００５】
しかし、それらは家屋の倒壊から利用者を守っても、救助されるまでの事が考えられていないか、特許文献２の様にＧＰＳなどを使い救助要請するものである。    
【考案の概要】
【考案が解決しようとする課題】
【０００６】
解決しようとする問題点は、就寝時の震災で家屋が倒壊しシェルター内に閉じ込められた際に救助要請ができる様にする。
【０００７】
また、救助されるまでの間、限られたスペースで生存者の負担を軽減する。
【課題を解決するための手段】
【０００８】
救助要請をする際ＧＰＳや携帯端末によるシステムだと、倒壊した瓦礫の影響で電波が
届かない場合があるが、緊急ブザーをシェルター外側や玄関外側へ設置し近隣の方々や救助隊の方々へ知らせる。
【０００９】
震災で商用電源が途絶えた際に蓄電池を用いてＬＥＤライトとコンセントを使用できるようにし水・食料・トイレなどを収納する。
【考案の効果】
【００１０】
【非特許文献１】（社）日本火災学会：「兵庫県南部地震における火災に関する調査報告書」
【００１１】
非特許文献１にある様に、震災時に救助隊を待つ間、隣人・友人・通行人の力による救助活動で多くの人の命が救われている。その事から倒壊した家屋のそばにいる人に生存者がいる事を知らせる事は非常に重要で、本考案は緊急ブザーを用いてそれらの人に早期の救助活動を促す。ＬＥＤライトは暗闇の灯りを灯しで生存者の不安を抑えると共に緊急ブザーのスイッチを照らし、コンセントは充電切れ携帯電話を使用する事で外部との連絡等に使用できる。
【図面の簡単な説明】
【００１２】
【図１】平面図
【図２】立面図横
【図３】立面図縦
【図４】トイレの使用方法を示す立面図横
【図５】電気回路図
【考案を実施するための形態】
【００１３】
本体下部に蓄電池７を備え商用電源が途絶えた際にもコンセント６・ＬＥＤライト８・緊急ブザースイッチ９・緊急ブザー１１と連動し、それらを使用可能にする。
【００１４】
本体枕元にコンセント６・LEDライト８・緊急ブザースイッチ９を設け就寝時に被災しても、それらが使用可能にする。
【００１５】
分割マットレス１０を跳ね上げ式にし、その下に収納スペースを設ける事で非常用トイレ２・非常食３・トイレットペーパー・非常用トイレ用備品４・保存水５などを収納する。
【００１６】
図４のように分割マットレス１０を跳ね上げ下部の収納スペースを利用し非常用トイレ２を組み立てて使用可能にする。
【００１７】
手摺１を両脇に設け高齢者などが起き上がる際や排泄時に行動しやすいようにする。
【符号の説明】
【００１８】
１    手摺
２    非常用トイレ
３    非常食
４    トイレットペーパー・非常トイレ用備品
５    保存水
６    コンセント
７    蓄電池
８    LEDライト
９    緊急ブザースイッチ
１０    分割マットレス
１１    緊急ブザー
【図１】
0003153499.tif 000003
【図２】
0003153499.tif 000004
【図３】
0003153499.tif 000005
【図４】
0003153499.tif 000006
【図５】
0003153499.tif 000007
【手続補正書】
【提出日】平成21年7月7日(2009.7.7)
【手続補正１】
【補正対象書類名】実用新案登録請求の範囲
【補正対象項目名】請求項２
【補正方法】変更
【補正の内容】
【請求項２】
蓄電池を内蔵し、ＬＥＤライト及びコンセントを設けたことを特徴とする請求項１に記載のベッド。
【手続補正２】
【補正対象書類名】実用新案登録請求の範囲
【補正対象項目名】請求項３
【補正方法】変更
【補正の内容】
【請求項３】
跳ね上げ式の分割マットレスを使用し、その下部に収納スペースを設けたことを特徴とする請求項１又は２に記載のベッド。
(57)【要約】      （修正有） 【課題】プランター栽培において、必要とする水遣りを、別途装置を必要とせずに簡易化させ、水の蒸発による外気温の上昇抑制効果も期待できる簡易灌水型プランターを提供する。【解決手段】プランター本体１の上部に水を溜める槽２を設ける。そして、プランター上部に設けた水の槽とプランター内部の土壌を、吸水性に優れた布か糸で連結させるようにしておく。プランター上部の槽に溜められた水は、布や糸の毛細管現象で、農作物・花卉が必要とする水分を自動的に供給する。そして、定期的に槽に水を溜めるようにすることで、水の蒸発による気化熱により周辺の気温上昇を抑えることが期待できる。【選択図】図１
0003153483.tif 000002
【実用新案登録請求の範囲】
【請求項１】
プランター本体の上部に水を溜める槽を設けることを特徴とするプランター。
【請求項２】
プランター上部に設けられた水の槽とプランター内部の土壌を、吸水性に優れた布や糸で連結させることにより、毛細管現象により育成する農作物・花卉が必要とする水分を自動的に吸収できるようにした請求項１に記載のプランター。
【請求項３】
前記プランターの槽の外周に連結部を設けることを特徴とする、請求項１又は２に記載のプランター。
【考案の詳細な説明】
【技術分野】
【０００１】
本考案は、ヒートアイランド対策に効果を示しつつ、且つ、灌水機能を有することを
特徴とする簡易灌水型プランターに関するものである。
【背景技術】
【０００２】
農作物・花卉のプランター栽培においては、必要な水分を安定的に供給出来ることが必要となり、例えば、特許文献１のような技術がある。
【先行技術文献】
【特許文献】
【０００３】
【特許文献１】実用新案登録第３０８７９１３号公報
【考案の概要】
【考案が解決しようとする課題】
【０００４】
特許文献１によるプランターでは、簡易な装置でホース内にはり込んだ水による水遣りを特徴としている。しかし、はり込んだ水の蒸発によるヒートアイランド現象緩和に対する効果はなく、プランター以外に装置を必要としていることで設置費用が高くなり、単一プランターであることから、連結して広いスペースに設置するには適していない。
本考案は、上記の課題に鑑み、簡易灌水型プランターを提供するものである。
【課題を解決するための手段】
【０００５】
本考案は、プランター本体の上部に水を溜める槽を設けることにより別途装置を必要とせず、プランター上部に設けられた水を溜める槽とプランター内部の土壌を、吸水性に優れた布や糸で連結させることにより、毛細管現象により育成する農作物・花卉が必要とする水分を自動的に吸収できるようにする。そして、槽の外周にプランターを連結するための穴を設け、プランターを相互に連結することにより突風等での飛散防止が可能となり、ビル屋上など広いスペースに設置することを可能とする。
【考案の効果】
【０００６】
都市部の屋上スペースなどに、本考案による簡易灌水型プランターを設置することに
より、短時間に農作物の育成場所を確保し、簡易に水を供給することを可能とすることで、都市部における農作物の自給自足が可能となり、食料自給率の向上にも貢献できる。
そして、一般道路における打ち水の蒸発時の気化熱により外気温度上昇を抑制する効果があることは知られているが、槽として水分を確保して常時気化熱を発生させることにより、都市部のヒートアイランド現象を緩和することに効果を発揮する。又、プランター内に必要な土壌のみを充填することで軽量化が図れ、プランターを連結することにより、風による飛散防止にも効果がある。
【図面の簡単な説明】
【０００７】
【図１】本考案によるプランターの模式図である。
【図２】図１のＡ−Ａ断面図である。
【図３】本考案によるプランターの他の形態を示す模式図である。
【考案を実施するための形態】
【０００８】
本考案による簡易灌水型プランターは、図１から図６に示す構成を有している。
【０００９】
このプランターは、土壌を充填する円形の筒状部１と、筒の上部に水を溜めることのできる平板による四角状の槽２を設けた形状を有する部材と、槽の外周を囲んでプランターを連結するための穴４を開けた平板の側面部材３から構成されている。
【００１０】
このプランターは、２種類の形状を有する部材により構成されており、各部材は射出成形等により、合成樹脂で成形されている。
【００１１】
プランター本体の円形の筒状部１の底面は、小さな排水口６を開けた形状として過剰な水分を排出できるようになっている。
【００１２】
プランター上部に設けられた水を溜めるための槽の側面に、平板の側面部材と連結するための穴を開けておき、ボルトかワイヤーで連結できるようになっている。
【００１３】
プランター上部に設けられた水を溜める槽と筒状部位に充填した土壌の底部を、吸水性に優れた布又は糸５で連結させておき、農作物・花卉が溜めた水を自動的に灌水できるようになっている。
【００１４】
プランター本体の筒状部の大きさと数量は、図１を基本形態とするが、栽培する農作物・花卉の種類により図３のように、筒状部の容積を小さくして筒の数を増やした形態で提供することもある。
【符号の説明】
【００１５】
１  筒状のプランター
２  水を溜めるための槽
３  平板の側面部
４  連結用の穴
５  吸水性に優れた布または糸
６  排水口
【図１】
0003153483.tif 000003
【図２】
0003153483.tif 000004
【図３】
0003153483.tif 000005
【手続補正書】
【提出日】平成21年7月8日(2009.7.8)
【手続補正１】
【補正対象書類名】実用新案登録請求の範囲
【補正対象項目名】全文
【補正方法】変更
【補正の内容】
【実用新案登録請求の範囲】
【請求項１】
土壌を充填する円形の筒状部と、筒の上部に平板による四角状の槽を設けた形状を有す
る部材で外周を囲むことにより、プランター本体の上部に水を溜める槽を設けることを特徴とするプランター。
【請求項２】
プランター上部に設けられた水の槽とプランター内部の土壌を、吸水性に優れた布や糸で連結させることにより、毛細管現象により育成する農作物・花卉が必要とする水分を自動的に吸収できるようにした請求項１に記載のプランター。
【請求項３】
前記プランターの槽の外周に連結部を設けることを特徴とする、請求項１又は２に記載のプランター。
(57)【要約】      （修正有）【課題】濡れた傘を手のひらを汚す事無く巻きまとめる為に使用する携帯用のストラップ形をしたループ状リングを提供する。【解決手段】撥水効果のあるバンド１をＵの字に曲げた合わせ目から穴のあいた絞り玉３を通しておきバンドの合わせ目とつり提げ用フック４と共に留め具２で連結したことにより本リングを使用する時は絞り玉３を留め具２の近くまで移動させて中空部５を最大のリングが出来る様にしてこのリングの中に雨傘を通して巻き上げる。使用後または平常は絞り玉３を反対側へ移動させて中空部５が最小になる様にしておけば邪魔にならない。【選択図】図１
0003153486.tif 000002
【実用新案登録請求の範囲】
【請求項１】
濡れた傘を手のひらを汚す事無く巻きまとめる為に使用する撥水性の良いバンド１をループ状してループを絞るための絞り玉３を通し後バンド両端を合わせたところを留め具２で固定され先端にはフック４が付いていて携帯し易い特徴を有する雨傘用ストラップリングである。
【考案の詳細な説明】
【技術分野】
【０００１】
本考案は、雨で濡れた傘を手のひらを濡らす事無く巻きまとめる為に使用する樹脂製のストラップリングに関するものである。
【背景技術】
【０００２】
これまでは濡れた傘を巻きまとめるには手のひらを濡らしながら巻いていたが本考案の雨傘用ストラップリングを使用すれば手のひらを濡らす事無く巻きまとめる事が出来る。
【考案の概要】
【考案が解決しようとする課題】
【０００３】
濡れた傘を素手で巻くと手のひらが汚れてしまう、そこで本考案は濡れた傘を手のひらを汚す事無く傘を巻きまとめる事を目的とするものである。
【課題を解決するための手段】
【０００４】
本考案は濡れた傘を手のひらを汚す事無く傘を巻きまとめる為に使用する撥水性の良いバンドをループ状にしてループ絞り用絞り玉を通した後バンド両端を留め具で固定し先端には携帯し易い様にフックが取り付けられている。
【考案の効果】
【０００５】
上述の様に雨傘用ストラップリングは手のひらを汚す事なく濡れ傘を巻きまとめる事が出来る。こうして巻きまとめられた傘は傘袋に入れ易く、また二段式折りたたみ傘は留め帯が内側に入ってしまうので本考案のストラップリングを使用すれば外側で利用できる。
【図面の簡単な説明】
【０００６】
【図１】雨傘用ストラップリングの斜視図である。
【図２】雨傘用ストラップリングを傘と共に示す斜視図である。
【考案を実施するための形態】
【０００７】
雨傘用ストラップリングを雨傘本体にフックを利用して取り付けるかバッグまたはポケットの中に入れておき傘をすぼめた時に取り出してリング状にしたところに傘の先端から通して巻き上げていくと簡単に留め帯が留められる、留め帯が無い時はそのまま留め帯がわりに使用する。
【実施例】
【０００８】
以下、添付図面に従って一実施例を説明する１は撥水性の良いバンドを中空部５を出来るだけ大きく広げ雨傘６を先端から通して傘を回しながら巻き上げていく、留め帯で巻きつけたら本リングを抜き取っておく、二段式折り畳み傘の様に留め帯が使用出来ない時はそのまま留め帯の代用になる。
【０００９】
抜き取った本リングは通常は絞り玉３でバンド１の中空部５を最小になる様に絞り収容するかフックを利用してぶら下げておくと邪魔にならない。
【符号の説明】
【００１０】
１  バンド
２  留め具
３  絞り玉
４  フック
５  中空部
６  雨傘
【図１】
0003153486.tif 000003
【図２】
0003153486.tif 000004
【手続補正書】
【提出日】平成21年7月3日(2009.7.3)
【手続補正１】
【補正対象書類名】実用新案登録請求の範囲
【補正対象項目名】全文
【補正方法】変更
【補正の内容】
【実用新案登録請求の範囲】
【請求項１】
濡れた傘を手のひらを汚すこと無く巻きまとめる為に使用する撥水性の良いバンド１をループ状にしてループを絞るための絞り玉３を通した後バンド両端を合わせたところに留め具２で固定され先端にはフック４が付いていて携帯し易い特徴を有する雨傘用ストラップリング。